(57)【要約】【課題】冷房運転時にて、複数の室内ユニット間における冷媒の分配量の偏りを緩和することにより各室内ユニットでの結露の発生を効果的に抑制できる空気調和機を提供すること。【解決手段】この空気調和機１は、室外に設置される室外ユニット２と、室内に設置される複数の室内ユニット３Ａ〜３Ｄとを備え、これらのユニット２、３Ａ〜３Ｄ間に冷媒を循環させて室外および室内にて熱交換を行うことにより、室内の空気を調和する。そして、冷房運転時にて、各室内ユニット３Ａ〜３Ｄの運転に要する冷媒量が指令回転数として各室内ユニット３Ａ〜３Ｄ毎に取得され、これらの指令回転数間に所定の基準以上の開きがある場合には相対的に低い指令回転数の数値を引き上げる補正が行われる。そして、補正後の指令回転数に基づいて冷媒が各室内ユニット３Ａ〜３Ｄに供給される。【選択図】        図１
2005351574.tif 000002
【特許請求の範囲】
【請求項１】
室外に設置される室外ユニットと、室内に設置される複数の室内ユニットとを備え、これらのユニット間に冷媒を循環させて室外および室内にて熱交換を行うことにより、室内の空気を調和する空気調和機において、
冷房運転時にて、各室内ユニットの運転に要する冷媒量が指令回転数として各室内ユニット毎に取得され、これらの指令回転数間に所定の基準以上の開きがある場合には相対的に低い指令回転数の数値を引き上げる補正が行われ、当該補正後の指令回転数に基づいて冷媒が各室内ユニットに供給されることを特徴とする空気調和機。
【請求項２】
各室内ユニット固有の換算係数を用いて前記指令回転数が換算されると共に、当該換算後の指令回転数について前記指令回転数の数値を引き上げる補正が行われる請求項１に記載の空気調和機。
【請求項３】
前記指令回転数の数値を引き上げる補正では、各室内ユニットの指令回転数のうち最大のもの（以下、最大指令回転数という。）が選定され、この最大指令回転数と他の指令回転数との比が算出されると共に、当該算出された比が所定の基準を満たしていないときに指令回転数の数値の引き上げが行われる請求項１または２に記載の空気調和機。
【請求項４】
室外ユニットが圧縮機を有すると共に、前記圧縮機の駆動回転数により各室内ユニットへの冷媒の供給量が制御され、且つ、
各室内ユニットへの冷媒の供給にあたり、前記補正後の指令回転数を用いて各室内ユニットの指令回転数の総和（以下、マルチ演算回転数という。）が算出され、当該マルチ演算回転数に基づいて前記圧縮機の駆動回転数が制御される請求項１〜３のいずれか一つに記載の空気調和機。
【請求項５】
各室内ユニットに対応して膨張弁がそれぞれ設置されており、各膨張弁の開度調整により各室内ユニットへの冷媒の供給量が制御され、且つ、
各室内ユニットへの冷媒の供給にあたり、前記補正後の指令回転数を用いて各室内ユニットの指令回転数間の比が算出され、この指令回転数間の比に基づいて前記膨張弁の開度が調整される請求項１〜４のいずれか一つに記載の空気調和機。
【発明の詳細な説明】
【技術分野】
【０００１】
この発明は、空気調和機に関し、さらに詳しくは、冷房運転時にて、複数の室内ユニット間における冷媒の分配量の偏りを緩和することにより各室内ユニットでの結露の発生を効果的に抑制できるマルチ型の空気調和機に関する。
【背景技術】
【０００２】
従来の空気調和機には、特許文献１および特許文献２に記載される技術が知られている。従来の空気調和機は、室外に配置される室外ユニットと、室内に配置される複数の室内ユニットとを含み構成され、室外ユニットおよび各室内ユニット間に冷媒を循環させて室内および室外にて熱交換を行うことにより、室内の冷房、暖房および冷暖房を行うことができる。
【０００３】
ここで、従来の熱交換器では、各室内ユニットが室内の設定温度や運転状況に応じて、必要な冷媒量を指令回転数として室外ユニットに送信する。この指令回転数は、室外ユニットの圧縮機の回転数に関するものである。室外ユニットは、各室内ユニットから受信した指令回転数の総和を算出し、これに基づいて圧縮機を駆動する。そして、圧縮機から送り出された冷媒は、指令回転数の比に応じて各室内ユニットに分配される。なお、室外ユニットには、各室内ユニットに対応して供給弁がそれぞれ設けられており、各室内ユニットへの冷媒の分配は、これらの供給弁の開度調整によって行われる。
【０００４】
【特許文献１】特開２０００−２６６３８８号公報
【特許文献２】特開２００３−２５４６３５号公報
【発明の開示】
【発明が解決しようとする課題】
【０００５】
しかしながら、室内ユニットからの指令回転数には、各室内ユニット間にて大きな差が生ずる場合がある。かかる場合には、圧縮機から供給された冷媒を各室内ユニットの指令回転数の比に応じて単純に分配すると、冷媒の分配量が各室内ユニット間にて偏ることがある。すると、冷媒の流量が少ない（指令回転数が小さい）室内ユニットでは、室内熱交換器の機能が低下して熱交換が十分に行われず、室内熱交換器の表面に乾燥した部分が生ずる。すると、高湿度な空気条件下で冷房運転が行われている場合には、この乾燥した部分から高湿度の空気が流れ込み、室内ユニット内の冷却ファンに結露が発生して水滴の落下や水飛びが生じるという課題があった。
【０００６】
そこで、この発明は、上記に鑑みてされたものであって、冷房運転時にて、複数の室内ユニット間における冷媒の分配量の偏りを緩和することにより、各室内ユニットでの結露の発生を効果的に抑制できる空気調和機を提供することを目的とする。
【課題を解決するための手段】
【０００７】
上記目的を達成するため、この発明にかかる空気調和機は、室外に設置される室外ユニットと、室内に設置される複数の室内ユニットとを備え、これらのユニット間に冷媒を循環させて室外および室内にて熱交換を行うことにより、室内の空気を調和する空気調和機において、冷房運転時にて、各室内ユニットの運転に要する冷媒量が指令回転数として各室内ユニット毎に取得され、これらの指令回転数間に所定の基準以上の開きがある場合には相対的に低い指令回転数の数値を引き上げる補正が行われ、当該補正後の指令回転数に基づいて冷媒が各室内ユニットに供給されることを特徴とする。
【０００８】
この空気調和機では、冷房運転時にて、各室内ユニットの指令回転数間に所定の基準以上の開きがある場合には、相対的に低い指令回転数の数値を引き上げる補正が行われ、補正後の指令回転数に基づいて冷媒が各室内ユニットに供給される。かかる構成では、複数の室内ユニット間における冷媒の分配量の偏りが緩和されるので、指令回転数の数値が相対的に低い室内ユニットでの冷媒の供給量不足が抑制される。これにより、各室内ユニットでの結露の発生が効果的に抑制される利点がある。
【０００９】
また、この発明にかかる空気調和機は、各室内ユニット固有の換算係数を用いて前記指令回転数が換算されると共に、当該換算後の指令回転数について前記指令回転数の数値を引き上げる補正が行われる。
【００１０】
この発明では、各室内ユニット固有の換算係数を用いて指令回転数が換算され、これを用いて所定の補正が行われる。かかる構成では、各室内ユニット間の特性の差が換算係数を介して補正結果に反映されるので、各指令回転数間の開きがより的確に緩和される。これにより、複数の室内ユニット間における冷媒の分配量の偏りが効果的に緩和されるので、各室内ユニットでの結露の発生がより効果的に抑制される利点がある。
【００１１】
また、この発明にかかる空気調和機は、前記指令回転数の数値を引き上げる補正では、各室内ユニットの指令回転数のうち最大のもの（以下、最大指令回転数という。）が選定され、この最大指令回転数と他の指令回転数との比が算出されると共に、当該算出された比が所定の基準を満たしていないときに指令回転数の数値の引き上げが行われる。
【００１２】
この発明では、最大指令回転数と他の指令回転数との比が算出されると共に、算出された比が所定の基準を満たしていないときに指令回転数の数値の引き上げが行われる。かかる構成では、指令回転数の比を基準として数値の引き上げ補正が行われるので、各指令回転数間の開きがより的確に緩和される。これにより、複数の室内ユニット間における冷媒の分配量の偏りが効果的に緩和されるので、各室内ユニットでの結露の発生がより効果的に抑制される利点がある。
【００１３】
また、この発明にかかる空気調和機は、室外ユニットが圧縮機を有すると共に、前記圧縮機の駆動回転数により各室内ユニットへの冷媒の供給量が制御され、且つ、各室内ユニットへの冷媒の供給にあたり、前記補正後の指令回転数を用いて各室内ユニットの指令回転数の総和（以下、マルチ演算回転数という。）が算出され、当該マルチ演算回転数に基づいて前記圧縮機の駆動回転数が制御される。
【００１４】
この発明では、冷媒を供給する圧縮機の回転数が、補正後の指令回転数を用いたマルチ演算回転数に基づいて制御される。かかる構成では、供給される冷媒の総量に指令回転数の補正が反映されるので、各室内ユニットに対して冷媒が適切に供給される。これにより、複数の室内ユニット間における冷媒の分配量の偏りがより効果的に緩和されて、各室内ユニットでの結露の発生がより効果的に抑制される利点がある。
【００１５】
また、この発明にかかる空気調和機は、各室内ユニットに対応して膨張弁がそれぞれ設置されており、各膨張弁の開度調整により各室内ユニットへの冷媒の供給量が制御され、且つ、各室内ユニットへの冷媒の供給にあたり、前記補正後の指令回転数を用いて各室内ユニットの指令回転数間の比が算出され、この指令回転数間の比に基づいて前記膨張弁の開度が調整される。
【００１６】
この発明では、膨張弁の開度が、補正後の指令回転数の比に基づいて制御される。かかる構成では、膨張弁の開度制御に補正後の指令回転数が反映されるので、各室内ユニットに対して冷媒が適切に供給される。これにより、複数の室内ユニット間における冷媒の分配量の偏りがより効果的に緩和されて、各室内ユニットでの結露の発生がより効果的に抑制される利点がある。
【発明の効果】
【００１７】
この発明にかかる空気調和機によれば、冷房運転時にて、各室内ユニットの指令回転数間に所定の基準以上の開きがある場合には、相対的に低い指令回転数の数値を引き上げる補正が行われ、補正後の指令回転数に基づいて冷媒が各室内ユニットに供給されるので、複数の室内ユニット間における冷媒の分配量の偏りが緩和されて、各室内ユニットでの結露の発生が効果的に抑制される利点がある。
【発明を実施するための最良の形態】
【００１８】
以下、この発明につき図面を参照しつつ詳細に説明する。なお、この実施例によりこの発明が限定されるものではない。また、以下に示す実施例の構成要素には、当業者が置換可能且つ容易なもの、或いは実質的同一のものが含まれる。
【実施例】
【００１９】
図１は、この発明の実施例にかかる空気調和機を示す回路図である。同図は、冷房運転時における回路図を示している。
【００２０】
この空気調和機１は、室外に配置される室外ユニット２と、室内に配置される複数の室内ユニット３Ａ〜３Ｄと、制御手段４とを含み構成され、室外ユニット２および各室内ユニット３Ａ〜３Ｄ間に冷媒を循環させて室内および室外にて熱交換を行うことにより、室内の冷房または暖房を行うことができる。
【００２１】
室外ユニット２は、室外熱交換器２１と、圧縮機２２と、アキュムレータ２３Ａ、２３Ｂと、四方切換弁２４と、膨張弁２５Ａ〜２５Ｄとを含み、これらが配管５により接続されて構成されている。室外熱交換器２１は、外気との間で冷媒の熱交換を行う機器であり、冷房運転時には凝縮器として機能し、暖房運転時には蒸発器として機能する。圧縮機２２は、冷媒を吸入して圧縮し、冷媒の圧力を高める機能を有する。アキュムレータ２３Ａ、２３Ｂは、冷媒の余剰分を一時的に貯蔵して冷媒の流量を調整する機能を有する。四方切換弁２４は、室外ユニット２内の配管５の接続を切り換えることにより、冷房運転用の配管構成と暖房運転用の配管構成とを切り換える。膨張弁２５Ａ〜２５Ｄは、冷媒の流路を絞る弁であり、その開度調整により各室内ユニット３Ａ〜３Ｄ（室内熱交換器３１Ａ〜３１Ｄ）への冷媒の供給量を調整できる。
【００２２】
室内ユニット３Ａ〜３Ｄは、室内熱交換器３１Ａ〜３１Ｄを含み構成され、配管５を介して室外ユニット２に接続されている。室内熱交換器３１Ａ〜３１Ｄは、室内空気との間で冷媒の熱交換を行う機器であり、暖房運転時には凝縮器として機能し、冷房運転時には蒸発器として機能する。
【００２３】
なお、この空気調和機１では、複数の室内ユニット３Ａ〜３Ｄが設置されており、これらの室内ユニット３Ａ〜３Ｄが相互に独立して稼働できる。これにより、例えば、各室内ユニット３が異なる部屋に設置されて独立して稼働することにより、各室内の空気を個別に調和することができる。
【００２４】
制御手段４は、制御部４１と、各種のセンサー（図示省略）とを含み構成される。制御部４１は、室外ユニット２および室内ユニット３の各構成要素を制御する機能を有する。特に、制御部４１は、各種のセンサーからの情報に基づき各室内ユニット３Ａ〜３Ｄの運転に必要な冷媒量を各室内ユニット３Ａ〜３Ｄ毎にそれぞれ算出する機能と、算出された必要な冷媒量を圧縮機２２への指令回転数ＲＡ〜ＲＤに換算する機能と、これらの指令回転数ＲＡ〜ＲＤを後述する所定の基準に基づいて補正する機能と、補正された指令回転数に基づいて圧縮機２２の動作および膨張弁２５Ａ〜２５Ｄの開度を制御する機能とを有する。各種のセンサーは、室外ユニット２および室内ユニット３の各構成要素、ならびに、配管５の要所に設置されて必要な情報を検出する。なお、この空気調和機１では、制御部４１が室外ユニット２内に設置されているが、これに限らず、制御部４１が室内ユニット３内に設置されても良い。
【００２５】
この空気調和機１では、冷房運転時にて、冷媒が室外熱交換器２１にて凝縮液化されて液体状態となり、配管を通って室内熱交換器３１Ａ〜３１Ｄ側に流れる。そして、冷媒が、膨張弁２５Ａ〜２５Ｄにて流路を絞られることにより、各室内ユニット３Ａ〜３Ｄ（室内熱交換器３１Ａ〜３１Ｄ）へ冷媒が分配供給され、室内熱交換器３１Ａ〜３１Ｄ内にて蒸発気化して熱を吸収する。これにより、熱交換が行われて室内の空気が冷却される。そして、冷媒が、四方切換弁２４およびアキュムレータ２３Ａ、２３Ｂを通って圧縮機２２に流れ、圧縮機２２にて圧縮されて、再び室外熱交換器２１側に送られる。これにより、冷媒が室外熱交換器２１および室内熱交換器３１間を循環して、室内の冷房が行われる。
【００２６】
［各室内ユニットへの冷媒の供給量の制御］
図２および図３は、各室内ユニットへの冷媒の供給量の制御を示すフローチャート（図２）および説明図（図３）である。図３では、一例として、４機の室内ユニット３Ａ〜３Ｄのうち２機（室内ユニット３Ａ、３Ｃ）が稼働している場合（２室運転）と、３機（室内ユニット３Ａ〜３Ｃ）が稼働している場合（３室運転）とが示されている。なお、稼働していない他の室内ユニット３は、停止状態もしくはサーモオフ状態にある。
【００２７】
この空気調和機１では、冷房運転時にて、各室内ユニット３Ａ〜３Ｄの運転に必要な冷媒量（冷媒の供給量）が、各室内ユニット３Ａ〜３Ｄ毎に指令回転数ＲＡ〜ＲＤとして取得される（ＳＴ１）。具体的には、まず、制御手段４が各室内ユニット３Ａ〜３Ｄの運転に必要な冷媒量を各室内ユニット３Ａ〜３Ｄ毎に算出する。この必要な冷媒量は、制御手段４のセンサーが取得した情報に基づき所定のサンプリング時間毎に算出される。また、必要な冷媒量は、一般に、設定温度や運転状況、そのときの冷媒量、その他の要素によって各室内ユニット３Ａ〜３Ｄ毎に異なる。次に、制御手段４が、算出された必要な冷媒量を指令回転数ＲＡ〜ＲＤ（供給される冷媒量を圧縮機２２の駆動回転数に換算した変数）に換算して、内部メモリ（図示省略）に記憶する。これにより、指令回転数ＲＡ〜ＲＤが取得される。なお、指令回転数ＲＡ〜ＲＤの取得は、かかる構成に限らず、当業者任意の構成により為し得る。
【００２８】
次に、各室内ユニット３Ａ〜３Ｄの指令回転数ＲＡ〜ＲＤに基づいて、マルチ演算回転数ＲＭが算出される（ＳＴ２〜ＳＴ４）。このマルチ演算回転数ＲＭは、圧縮機２２の駆動回転数および膨張弁２５Ａ〜２５Ｄの開度の制御（ＳＴ５）に用いられる数値である。このマルチ演算回転数ＲＭの算出過程では、冷房運転時における室内ユニット３Ａ〜３Ｄでの結露の発生を抑制するために、指令回転数ＲＡ〜ＲＤの補正が行われる（ＳＴ３）。この補正は、複数の室内ユニット３Ａ〜３Ｄが稼働している場合に行われ、単一の室内ユニット３Ａ〜３Ｄのみが稼働している場合には行われない。以下、マルチ演算回転数ＲＭの算出について、詳細に説明する。
【００２９】
マルチ演算回転数ＲＭの算出過程では、まず、各室内ユニット３Ａ〜３Ｄからの指令回転数ＲＡ〜ＲＤが制御部４１の内部メモリに記憶されている（ＳＴ１）。ここでは、稼働していない室内ユニット（２室運転の例では室内ユニット３Ｃおよび３Ｄ、３室運転の例では室内ユニット３Ｄ）の指定回転数が０［ｒｐｓ］となる。
【００３０】
次に、記憶されている各指令回転数ＲＡ〜ＲＤに対して所定の換算係数ｋＡ〜ｋＤが掛けられ、換算された指令回転数ＲＡ’〜ＲＤ’が算出される（換算ステップＳＴ２）。なお、換算係数ｋＡ〜ｋＤは、各室内ユニット３Ａ〜３Ｄ特有の値であり、室内ユニット３の機種によって異なる。
【００３１】
次に、換算後の指令回転数ＲＡ’〜ＲＤ’について、以下の処理に基づき補正が行われる（補正ステップＳＴ３）。この補正ステップＳＴ３では、まず、指令回転数ＲＡ’〜ＲＤ’の中から最大のもの（最大指令回転数）が選定され（図３、３．１）、最大指令回転数と他の指令回転数との比が算出される（図３、３．２）。そして、算出された比と所定の補正定数ｍとが比較されて、以下の基準により指令回転数ＲＡ’〜ＲＤ’が置き換えられる（図３、３．３）。
【００３２】
具体的には、算出された比が所定の補正係数ｍ以上である場合には、その指令回転数が、最大指令回転数を補正係数ｍで除した値に置き換えられる。これにより、相対的に低い指令回転数が所定の基準以上に引き上げられる。一方、算出された比が所定の補正係数ｍ未満である場合には、その指令回転数がそのまま維持される。また、指令回転数が０の場合には、その指令回転数がそのまま維持される。なお、図３では、かかる補正後の指令回転数がＲＡ’’〜ＲＤ’’により示されている。また、補正係数ｍが２．５なので、補正された指令回転数ＲＡが最大指令回転数ＲＣの４０［％］に引き上げられている。
【００３３】
なお、図３の例では、２室運転および３室運転のいずれにおいても、室内ユニット３Ｃの指令回転数ＲＣ’が最大指令回転数として選定されている。そして、室内ユニット３Ａの指令回転数ＲＡ’が、この最大指令回転数に対して所定値以上の開きを有するため、最大指令回転数を補正係数ｍで除した値ＲＡ’’に置き換えられている。
【００３４】
次に、補正後の指令回転数ＲＡ’’〜ＲＤ’’を用いて、マルチ演算回転数ＲＭが算出される（マルチ演算回転数算出ステップＳＴ４）。このマルチ演算回転数算出ステップＳＴ４では、補正後の指令回転数ＲＡ’’〜ＲＤ’’が小数点以下の切り捨てにより整数値に揃えられ（図３、４．１）、これらの整数値（指令回転数ＲＡ’’〜ＲＤ’’）の総和がマルチ演算回転数ＲＭとして定義される（図３、４．２）。
【００３５】
そして、算出されたマルチ演算回転数ＲＭに基づいて、圧縮機２２の駆動回転数および膨張弁２５Ａ〜２５Ｄの開度が制御される（ＳＴ５）。これにより、冷媒が各室内ユニット３Ａ〜３Ｄの指令回転数ＲＡ〜ＲＤに対応して適正に供給されるので、各室内熱交換器３１Ａ〜３１Ｄでの熱交換が効率的に行われる。なお、この空気調和機１では、圧縮機２２の駆動回転数の制御において、マルチ演算回転数ＲＭが圧縮機２２の駆動回転数としてそのまま用いられる。また、膨張弁膨張弁２５Ａ〜２５Ｄの開度の制御において、補正後の指令回転数ＲＡ’’〜ＲＤ’’の比が膨張弁膨張弁２５Ａ〜２５Ｄの開度の比として用いられる。
【００３６】
［効果］
この空気調和機１によれば、冷房運転時にて、各室内ユニット３Ａ〜３Ｄの指令回転数ＲＡ〜ＲＤ間に所定の基準以上の開きがある場合には、相対的に低い指令回転数の数値を引き上げる補正が行われ、補正後の指令回転数に基づいて冷媒が各室内ユニット３Ａ〜３Ｄに供給される。かかる構成では、複数の室内ユニット３Ａ〜３Ｄ間における冷媒の分配量の偏りが緩和されるので、指令回転数の数値が相対的に低い室内ユニット３での冷媒の供給量不足が抑制される。これにより、各室内ユニットＲＡ〜ＲＤでの結露の発生が効果的に抑制される利点がある。
【００３７】
また、この空気調和機１では、各室内ユニット３Ａ〜３Ｄ固有の換算係数ｋＡ〜ｋＤを用いて指令回転数ＲＡ〜ＲＤが換算され（ＳＴ３）、これを用いて所定の補正（ＳＴ３）が行われる。かかる構成では、各室内ユニット３Ａ〜３Ｄ間の特性の差が換算係数ｋＡ〜ｋＤを介して補正結果に反映されるので、各指令回転数ＲＡ〜ＲＤ間の開きがより的確に緩和される。これにより、各室内ユニット３Ａ〜３Ｄ間における冷媒の分配量の偏りが効果的に緩和されるので、各室内ユニット３Ａ〜３Ｄでの結露の発生がより効果的に抑制される利点がある。しかし、これに限らず、かかる指令回転数ＲＡ〜ＲＤの換算ステップ（ＳＴ２）が省略されても良い。かかる場合には、指令回転数ＲＡ〜ＲＤを直接用いて補正処理（ＳＴ３）が行われ、マルチ演算回転数ＲＭが算出される（ＳＴ４）。
【００３８】
また、この空気調和機１では、最大指令回転数と他の指令回転数との比が算出されると共に、算出された比が所定の基準を満たしていないときに指令回転数ＲＡ〜ＲＤの数値の引き上げが行われる（ＳＴ３）。かかる構成では、指令回転数ＲＡ〜ＲＤの比を基準として数値の引き上げ補正が行われるので、各指令回転数ＲＡ〜ＲＤ間の開きがより的確に緩和される点で好ましい。しかし、これに限らず、例えば、最大指令回転数と他の指令回転数との差が所定の回転数以上開いている場合に、この指令回転数（基準以下の指令回転数）について所定の回転数を加算する構成や、この指令回転数を所定の指令回転数に置き換える補正を行っても良い。かかる構成によっても、各指令回転数ＲＡ〜ＲＤ間の開きが緩和されて、各室内ユニット３Ａ〜３Ｄでの結露の発生が抑制される利点がある。
【００３９】
また、この空気調和機１では、冷媒を供給する圧縮機２２の駆動回転数が、補正（ＳＴ３）後の指令回転数ＲＡ’’〜ＲＤ’’を用いたマルチ演算回転数ＲＭに基づいて制御される（ＳＴ５）。かかる構成では、供給される冷媒の総量に指令回転数ＲＡ〜ＲＤの補正（ＳＴ３）が反映されるので、各室内ユニット３Ａ〜３Ｄに対して冷媒が適切に供給される。これにより、複数の室内ユニット３Ａ〜３Ｄ間における冷媒の分配量の偏りがより効果的に緩和されて、各室内ユニット３Ａ〜３Ｄでの結露の発生がより効果的に抑制される利点がある。
【００４０】
また、この空気調和機１では、膨張弁２５Ａ〜２５Ｄの開度が、補正（ＳＴ３）後の指令回転数ＲＡ’’〜ＲＤ’’の比に基づいて制御される（ＳＴ５）。かかる構成では、膨張弁２５Ａ〜２５Ｄの開度制御に補正後の指令回転数ＲＡ’’〜ＲＤ’’が反映されるので、各室内ユニット３Ａ〜３Ｄに対して冷媒が適切に供給される。これにより、複数の室内ユニット３Ａ〜３Ｄ間における冷媒の分配量の偏りがより効果的に緩和されて、各室内ユニット３Ａ〜３Ｄでの結露の発生がより効果的に抑制される利点がある。
【００４１】
また、この空気調和機１では、指令回転数ＲＡ’’〜ＲＤ’’の総和がマルチ演算回転数ＲＭとして定義されるが、かかる指令回転数ＲＡ’’〜ＲＤ’’の総和が圧縮機２２の仕様（能力の上限）を越える場合には、この総和に代えて、圧縮機２２の最大能力にかかる回転数をマルチ演算回転数ＲＭとしても良い。例えば、図３の３室運転の例では、マルチ演算回転数ＲＭが１１０［ｒｐｓ」であるが、これが圧縮機２２の最大回転数（例えば、９５［ｒｐｓ］）に修正される。これにより、圧縮機２２の仕様に応じたマルチ演算回転数ＲＭが定義される利点がある。
【産業上の利用可能性】
【００４２】
以上のように、本発明にかかる空気調和機は、冷房運転時にて、複数の室内ユニット間における冷媒の分配量の偏りを緩和することにより各室内ユニットでの結露の発生を効果的に抑制できる点で有用である。
【図面の簡単な説明】
【００４３】
【図１】この発明の実施例にかかる空気調和機を示す回路図である。
【図２】各室内ユニットへの冷媒の供給量の制御を示すフローチャートである。
【図３】各室内ユニットへの冷媒の供給量の制御を示す説明図である。
【符号の説明】
【００４４】
１  空気調和機
２  室外ユニット
３  室内ユニット
４  制御手段
５  配管
２１  室外熱交換器
２２  圧縮機
２３  アキュムレータ
２４  四方切換弁
２５  膨張弁
３１  室内熱交換器
４１  制御部
【図１】
2005351574.tif 000003
【図２】
2005351574.tif 000004
【図３】
2005351574.tif 000005